(57)【要約】【課題】狭い撮影室内でも利用者の黒目を美しく撮影することができる自動写真作成装置を提供する。【解決手段】本自動写真作成装置は、利用者Ｕが入る撮影室２と、利用者Ｕの撮影画像を出力する本体部４とを備える。本体部４は利用者Ｕを撮影するカメラ１０と、その上方に設けられ閃光を発するフラッシュ１１と、このフラッシュ１１からの閃光を反射することにより撮影画像に写る利用者Ｕの目の角膜（黒目部分）を部分的に明るくするアイキャッチボード１００とを備える。撮影時にはフラッシュ１１からの閃光が利用者Ｕおよびアイキャッチボード１００に投射されるとともに、アイキャッチボード１００からの反射光により利用者Ｕの角膜の所定部分が明るく照らされた像が得られ、カメラ１０が当該像を利用者Ｕとともにを撮影する。撮影時以外ではアイキャッチボード１００は本体部４内部に収納される。【選択図】        図１
2004219808.tif 000002
【特許請求の範囲】
【請求項１】
所定の撮影領域における被写体である利用者を撮影する撮影手段と、当該利用者に照明光を与える照明手段と、当該撮影手段により得られる撮影画像または当該撮影画像を含む合成画像を写真として出力する出力装置とを備える自動写真作成装置であって、
前記利用者の目の角膜へ光を投射することにより、前記撮影画像に写される前記角膜の所定部分を明るくする角膜照明手段を備え、
前記角膜照明手段は、前記照明手段からの照明光を反射して得られる反射光を所定位置から前記角膜へ投射する反射手段であることを特徴とする自動写真作成装置。
【請求項２】
前記角膜照明手段は、前記撮影手段により前記利用者が撮影されるとき以外には光を透過させ、撮影されるときには前記照明手段からの照明光を反射することが可能なように構成されることを特徴とする、請求項１に記載の自動写真作成装置。
【請求項３】
所定の撮影領域における被写体である利用者を撮影する撮影手段と、当該利用者に照明光を与える照明手段と、当該撮影手段により得られる撮影画像または当該撮影画像を含む合成画像を写真として出力する出力装置とを備える自動写真作成装置であって、
前記利用者の目の角膜へ光を投射することにより、前記撮影画像に写される前記角膜の所定部分を明るくする角膜照明手段を備え、
前記角膜照明手段は、前記利用者の目の位置より下方の所定位置に配置されることを特徴とする自動写真作成装置。
【請求項４】
前記角膜照明手段は、前記照明手段からの照明光を反射して得られる反射光を前記角膜へ投射する反射手段であることを特徴とする、請求項３に記載の自動写真作成装置。
【請求項５】
前記角膜照明手段は、前記角膜の下半部に所定面積を有する略台形の像を生じるように、略四角形の形状を有することを特徴とする、請求項３に記載の自動写真作成装置。
【請求項６】
前記角膜照明手段は、前記撮影手段により前記利用者が撮影されるときには前記所定の位置に配置され、撮影されるとき以外には収納のための収納位置に配置されることが可能なように構成されることを特徴とする、請求項１または請求項３に記載の自動写真作成装置。
【請求項７】
前記角膜照明手段は、前記撮影手段により前記利用者が撮影されるとき以外には前記収納位置に設けられる装置内部の空間に収納され、撮影されるときに前記収納位置から引き出されることにより前記所定位置に配置されることが可能なように構成されることを特徴とする、請求項６に記載の自動写真作成装置。
【請求項８】
前記角膜照明手段は、前記撮影手段により前記利用者が撮影されるとき以外には前記撮影手段前面の前記収納位置に配置されており、前記収納位置で前記撮影手段の撮影方向が塞がれないように前記撮影手段前面に対応する所定部分が開口されていることを特徴とする、請求項６に記載の自動写真作成装置。
【請求項９】
前記角膜照明手段は、可撓性を有する薄いシートであって、前記撮影手段により前記利用者が撮影されるとき以外には前記収納位置で巻き取られ、撮影されるときには前記収納位置から展開され前記所定位置に配置されることが可能なように構成されることを特徴とする、請求項６に記載の自動写真作成装置。
【請求項１０】
前記角膜照明手段は、前記撮影手段により前記利用者が撮影されるときには傘のように展開され、撮影されるとき以外には畳まれることが可能なように構成されることを特徴とする、請求項６に記載の自動写真作成装置。
【請求項１１】
所定の撮影領域における被写体である利用者を撮影する撮影ステップと、当該利用者に照明光を与える照明ステップと、当該撮影ステップにおいて得られる撮影画像または当該撮影画像を含む合成画像を写真として印刷する印刷ステップとを含む自動写真作成方法であって、
光を前記利用者の目の角膜へ投射することにより、前記撮影画像に写される前記角膜の所定部分を明るくする角膜照明ステップを備え、
前記角膜照明ステップは、前記照明ステップの照明光を反射して得られる反射光を前記角膜へ投射する反射ステップであることを特徴とする自動写真作成方法。
【請求項１２】
所定の撮影領域における被写体である利用者を撮影する撮影ステップと、当該利用者に照明光を与える照明ステップと、当該撮影ステップにおいて得られる撮影画像または当該撮影画像を含む合成画像を写真として印刷する印刷ステップとを含む自動写真作成方法であって、
前記利用者の目の位置より下方の所定位置から光を前記利用者の目の角膜へ投射することにより、前記撮影画像に写される前記角膜の所定部分を明るくする角膜照明ステップを備えることを特徴とする自動写真作成方法。
【請求項１３】
撮影されるとき以外には収納すべき収納位置に前記角膜の所定部分を明るくする手段を収納するステップをさらに備え、
前記角膜照明ステップは、前記撮影ステップにおいて前記利用者が撮影されるときには前記角膜の所定部分を明るくすることを特徴とする、請求項１１または請求項１２に記載の自動写真作成方法。
【請求項１４】
請求項１１または請求項１２に記載の自動写真作成方法により写真として印刷されたことを特徴とする印刷媒体。
【発明の詳細な説明】
【０００１】
【発明の属する技術分野】
本発明は、照明された利用者をカメラで撮影し、その撮影画像を写真として出力する自動写真作成装置に関する。
【０００２】
【従来の技術】
従来より、利用者をカメラで撮影し、その撮影画像を写真として出力する遊技用写真作成装置が知られている。このような遊技用写真作成装置は、撮影画像と合成すべき画像（以下「付加画像」という）を、利用者の嗜好に応じて、予め用意された多種多様な背景画像および前景画像から選択したり、タッチペン等のペン型入力装置を用いて利用者が自由に描いたりできるように構成されるなど、遊技性または娯楽性を高める工夫がなされている。また、従来の遊技用写真作成装置は、撮影時に明るい閃光を発して利用者を照明するフラッシュや常時点灯して利用者を照明する蛍光灯などの光量や照明角度などを適宜に設定することにより、利用者を美しく撮影する工夫がなされている。また、一般的な写真撮影では、人物を撮影する場合に利用者の目（黒目）を美しく撮影する工夫が必要とされる。
【０００３】
【発明が解決しようとする課題】
しかし、上記従来の遊技用写真作成装置は、利用者の全身ないし顔を美しく撮影するための工夫はされているが、利用者の目（黒目）を美しく撮影する工夫がなされていない。
【０００４】
そこで本発明では、利用者の黒目を美しく撮影することができる自動写真作成装置を提供することを目的とする。
【０００５】
【課題を解決するための手段および発明の効果】
第１の発明は、所定の撮影領域における被写体である利用者を撮影する撮影手段と、当該利用者に照明光を与える照明手段と、当該撮影手段により得られる撮影画像または当該撮影画像を含む合成画像を写真として出力する出力装置とを備える自動写真作成装置であって、
前記利用者の目の角膜へ光を投射することにより、前記撮影画像に写される前記角膜の所定部分を明るくする角膜照明手段を備え、
前記角膜照明手段は、前記照明手段からの照明光を反射して得られる反射光を所定位置から前記角膜へ投射する反射手段であることを特徴とする。
【０００６】
このような第１の発明によれば、角膜照明手段からの光が利用者の角膜を部分的に明るくすることにより、利用者の目にきれいな輝きが与えられ利用者を美しく撮影する自動写真作成装置を提供することができる。また、角膜照明手段は反射手段であるため、利用者を美しく撮影する自動写真撮影装置を高価な発光源を用いることなく安価に提供することができる。さらに、この角膜照明手段からの光により利用者の顔も明るく照らされるため、利用者の顔を良好な撮影状態で撮影する自動写真作成装置を提供することができる。
【０００７】
第２の発明は、第１の発明において、
前記角膜照明手段は、前記撮影手段により前記利用者が撮影されるとき以外には光を透過させ、撮影されるときには前記照明手段からの照明光を反射することが可能なように構成されることを特徴とする。
【０００８】
第３の発明は、所定の撮影領域における被写体である利用者を撮影する撮影手段と、当該利用者に照明光を与える照明手段と、当該撮影手段により得られる撮影画像または当該撮影画像を含む合成画像を写真として出力する出力装置とを備える自動写真作成装置であって、
前記利用者の目の角膜へ光を投射することにより、前記撮影画像に写される前記角膜の所定部分を明るくする角膜照明手段を備え、
前記角膜照明手段は、前記利用者の目の位置より下方の所定位置に配置されることを特徴とする。
【０００９】
このような第３の発明によれば、角膜照明手段からの光が利用者の角膜を部分的に明るくすることにより、利用者の目にきれいな輝きが与えられ利用者を美しく撮影する自動写真作成装置を提供することができる。また、この角膜照明手段からの光により利用者の顔も明るく照らされるため、利用者の顔を良好な撮影状態で撮影する自動写真作成装置を提供することができる。さらに、少なくとも撮影時には利用者の目の位置よりも下方に角膜照明手段が配置されるため、角膜照明手段からの反射光により利用者の角膜の下半部付近に像を生じるように明るく照らされる構成である。この構成により、明るく照らされる位置が角膜の上半部、左右近傍、または瞳の周囲全体である場合に比べ、利用者の目がさらに美しく撮影される自動写真作成装置を提供することができる。
【００１０】
第４の発明は、第３の発明において、
前記角膜照明手段は、前記照明手段からの照明光を反射して得られる反射光を前記角膜へ投射する反射手段であることを特徴とする。
【００１１】
このような第４の発明によれば、角膜照明手段は反射手段であるため、利用者を美しく撮影する自動写真撮影装置を高価な発光源を用いることなく安価に提供することができる。
【００１２】
第５の発明は、第３の発明において、
前記角膜照明手段は、前記角膜の下半部に所定面積を有する略台形の像を生じるように、略四角形の形状を有することを特徴とする。
【００１３】
このような第５の発明によれば、角膜照明手段が略四角形の形状であるため、角膜照明手段からの反射光により利用者の角膜に略台形形状の像を生じるように明るく照らす構成である。この構成により、明るく照らされる部分が円形形状である場合に比べ、利用者の目はさらに美しく撮影される自動写真作成装置を提供することができる。
【００１４】
第６の発明は、第１または第３の発明において、
前記角膜照明手段は、前記撮影手段により前記利用者が撮影されるときには前記所定の位置に配置され、撮影されるとき以外には収納のための収納位置に配置されることが可能なように構成されることを特徴とする。
【００１５】
このような第６の発明によれば、撮影時以外では収納のための収納位置に配置される。そのため、撮影時以外の時点、例えばメインディスプレイ装置で利用者が合成画像や案内表示を見たり、操作パネルで操作を行う際にも障害となることがない角膜照明手段を備える自動写真作成装置を提供することができる。
【００１６】
第７の発明は、第６の発明において、
前記角膜照明手段は、前記撮影手段により前記利用者が撮影されるとき以外には前記収納位置に設けられる装置内部の空間に収納され、撮影されるときに前記収納位置から引き出されることにより前記所定位置に配置されることが可能なように構成されることを特徴とする。
【００１７】
第８の発明は、第６の発明において、
前記角膜照明手段は、前記撮影手段により前記利用者が撮影されるとき以外には前記撮影手段前面の前記収納位置に配置されており、前記収納位置で前記撮影手段の撮影方向が塞がれないように前記撮影手段前面に対応する所定部分が開口されていることを特徴とする。
【００１８】
第９の発明は、第６の発明において、
前記角膜照明手段は、可撓性を有する薄いシートであって、前記撮影手段により前記利用者が撮影されるとき以外には前記収納位置で巻き取られ、撮影されるときには前記収納位置から展開され前記所定位置に配置されることが可能なように構成されることを特徴とする。
【００１９】
第１０の発明は、第６の発明において、
前記角膜照明手段は、前記撮影手段により前記利用者が撮影されるときには傘のように展開され、撮影されるとき以外には畳まれることが可能なように構成されることを特徴とする。
【００２０】
第１１の発明は、所定の撮影領域における被写体である利用者を撮影する撮影ステップと、当該利用者に照明光を与える照明ステップと、当該撮影ステップにおいて得られる撮影画像または当該撮影画像を含む合成画像を写真として印刷する印刷ステップとを含む自動写真作成方法であって、
光を前記利用者の目の角膜へ投射することにより、前記撮影画像に写される前記角膜の所定部分を明るくする角膜照明ステップを備え、
前記角膜照明ステップは、前記照明ステップの照明光を反射して得られる反射光を前記角膜へ投射する反射ステップであることを特徴とする。
【００２１】
第１２の発明は、所定の撮影領域における被写体である利用者を撮影する撮影ステップと、当該利用者に照明光を与える照明ステップと、当該撮影ステップにおいて得られる撮影画像または当該撮影画像を含む合成画像を写真として印刷する印刷ステップとを含む自動写真作成方法であって、
前記利用者の目の位置より下方の所定位置から光を前記利用者の目の角膜へ投射することにより、前記撮影画像に写される前記角膜の所定部分を明るくする角膜照明ステップを備えることを特徴とする。
【００２２】
第１３の発明は、第１１または第１２の発明において、
撮影されるとき以外には収納すべき収納位置に前記角膜の所定部分を明るくする手段を収納するステップをさらに備え、
前記角膜照明ステップは、前記撮影ステップにおいて前記利用者が撮影されるときには前記角膜の所定部分を明るくすることを特徴とする。
【００２３】
第１４の発明は、第１１または第１２の発明に記載の自動写真作成方法により写真として印刷されたことを特徴とする印刷媒体である。
【００２４】
【発明の実施の形態】
以下、本発明の一実施形態に係る遊技用写真作成装置につき添付図面を参照して説明する。
【００２５】
＜１  全体構成＞
図１は、本発明の一実施形態に係る遊技用写真作成装置を側面から見た概略図である。以下、図１を参照して、本実施形態に係る遊技用写真作成装置の全体構成について説明する。この遊技用写真作成装置は、利用者Ｕが入る撮影室２と、利用者Ｕの撮影画像を含む合成画像を生成して写真シール（または写真カード）として出力する本体部４とを備えている。
【００２６】
本体部４は、利用者Ｕを撮影するカメラ１０と、当該カメラ１０の上方の所定位置に設けられており閃光を発するフラッシュ１１と、このフラッシュ１１からの閃光を反射することにより撮影画像に写る利用者Ｕの目の角膜（黒目部分）を部分的に明るくするアイキャッチボード１００と、図示されない液晶ディスプレイパネル（以下「ＬＣＤ」と略記する）とを備える。このカメラ１０は、撮影室２において床面上に存在する利用者Ｕを撮影して撮影画像を表す画像信号を出力する。典型的には、ＣＣＤ（電荷結合素子）を利用してデジタル画像信号を生成するデジタルカメラが使用される。ＬＣＤは、上記画像信号の表す画像を表示するように構成されており、カメラ１０によって得られる撮影画像を確認するために使用される。また、フラッシュ１１から閃光が放たれると、その閃光で照らされた利用者Ｕのカメラ１０による撮影画像を表す画像信号が本体部４内の制御装置に転送され、画像ファイルとして一時的に保存される。すなわち、本体部４に備えられるシャッターボタンが押下されると、数秒程度の予め決められた時間の経過後にフラッシュ１１からの閃光が利用者Ｕおよびアイキャッチボード１００に投射されるとともに、アイキャッチボード１００からの反射光が利用者Ｕの角膜の所定部分を明るく照らし、カメラ１０が角膜の所定部分を明るく照らされた利用者Ｕを撮影し、ＬＣＤに表示される撮影画像を利用者Ｕが見ることができる。
【００２７】
なお、一般的な写真撮影では、利用者の黒目を美しく撮影するためにキャッチライトと呼ばれる照明やアイキャッチボード（またはキャッチレフ）と呼ばれる反射板が用いられることがある。しかし、各種の入出力装置が配置される狭い撮影室２の内部では一般的にかなり大きなアイキャッチボードを備えることができないため、遊技用写真作成装置に適した利用者の黒目を美しく撮影する工夫が必要となる。このようなアイキャッチボード１００の詳細な構成および作用については後述する。
【００２８】
また本体部４は、コンピュータを中心に構成され各部の制御や画像処理を行う制御装置や、プリンタ、メインディスプレイ装置２２等を内蔵し、メインディスプレイ装置２２は、その画面が利用者Ｕに向き合うように配置されている。そのメインディスプレイ装置２２の両側には２つのライトペンが備え付けられている。利用者Ｕは、これらのライトペンを操作することによって、そのメインディスプレイ装置２２に表示される撮影画像に付加すべき画像を入力することができる。また、本体部４の前面すなわち利用者Ｕに向き合う面には、操作パネル２０も設けられており、この操作パネル２０は、シャッターボタンのほか、写真シールとして出力すべき合成画像を構成する撮影画像を選択するための選択操作手段や、合成画像生成の際に撮影画像に付加される画像（付加画像）としての背景画像や前景画像を指定する指定手段などを含んでいる。さらに、本体部４は、その前面に照明装置（以下「前面照明装置」と称する）およびコイン投入口を備え、その側面に写真シールの取出口２８を備えている。なお、この前面照明装置は、本遊技用写真作成装置の動作中は常時点灯されている。
【００２９】
＜２  機能的構成＞
図２は、本実施形態に係る遊技用写真作成装置を機能面から見た構成を示すブロック図である。この遊技用写真作成装置は、機能的には、撮像部５２と、確認表示部５４と、ビデオ分配部５６と、キャプチャ制御部５８と、画像処理部６０と、メイン表示部６２と、写真シール出力部６４と、コイン入力部６６と、操作部６８と、照明部７０と、Ｉ／Ｏ制御部７２と、メイン制御部８０とから構成される。
【００３０】
この構成において、撮像部５２と確認表示部５４は、カメラ１０とＬＣＤにそれぞれ相当する。ビデオ分配部５６は、本体部４内の制御装置に含まれるハードウェアによって実現され、シャッターボタンが押下されるまでの間に撮像部５２によって取り込まれる撮影方向の画像（「スルー画像」と呼ばれる）の信号を確認表示部５４とキャプチャ制御部５８とに分配する。これにより、スルー画像は、確認表示部５４に表示されると共に、キャプチャ制御部５８を通して画像処理部６０経由でメイン表示部６２にも表示される。キャプチャ制御部５８は、制御装置に含まれるハードウェアと制御装置内のコンピュータが実行するソフトウェアとによって実現され、キャプチャ処理を実行する。すなわち、利用者Ｕの撮影のためにシャッターボタンが押下されると、メイン制御部８０からの指示に基づき、利用者Ｕの撮影画像を表す信号として撮像部５２から出力される画像信号を直接に（ビデオ分配部５６を介さずに）受け取り、画像処理部６０内に画像ファイルとして一時的に格納する。画像処理部６０は、制御装置に含まれるハードウェアと制御装置内のコンピュータが実行するソフトウェアとによって実現され、メイン制御部８０からの指示に基づき、その内部に格納された画像ファイルの表す撮影画像と、操作パネル２０によって指定される背景画像や前景画像および／またはライトペンによって手書きで入力された画像（以下「手書き画像」）とを合成することにより、合成画像を生成する。メイン表示部６２は、本体部４におけるメインディスプレイ装置に相当し、画像処理部６０によって生成される合成画像を表示する。写真シール出力部６４は、本体部４に内蔵されるプリンタに相当し、メイン制御部８０からの指示に基づき、画像処理部６０で生成された合成画像を写真シールとして出力する。
【００３１】
また、コイン入力部６６は、本体部４におけるコイン投入口と制御装置内のハードウェアとによって実現され、コイン投入口に投入されたコインを検出して、投入コインを示すコイン信号を出力する。操作部６８は、本体部４における本体部４における２つのライトペンおよび操作パネル２０とシャッターボタンとに相当し、２つのライトペンが利用者Ｕによって操作されると、その操作内容を示すペン入力信号を出力し、操作パネル２０およびシャッターボタンが利用者Ｕによって操作されると、その操作内容を示す操作信号を出力する。照明部７０は、本体部４における前面照明装置とフラッシュ１１とに相当し、メイン制御部８０からの指示に基づきＩ／Ｏ制御部７２によって調光および点灯／消灯が制御される。Ｉ／Ｏ制御部７２は、制御装置内のハードウェアによって実現され、メイン制御部８０からの指示に基づき、照明部７０を制御すると共に、コイン入力部６６からのコイン信号や操作部６８からのペン入力信号および操作信号をメイン制御部８０へ転送する。
【００３２】
メイン制御部８０は、制御装置内のコンピュータがソフトウェアを実行することによって実現され、上述のようにして入力されるコイン信号や操作信号に基づき各部を制御するために、上述のように各部に指示を出す。また、ペン入力信号を受け取ると、利用者Ｕの操作内容に基づく画像を表す信号を手書き画像信号として生成し、これを、撮影画像と合成すべき付加画像の信号として画像処理部６０に転送する。また、制御装置内のコンピュータは、タイマー機能を備えており、メイン制御部８０は、このタイマー機能を利用して、シャッタースイッチが押下されてからキャプチャ処理が開始されるまでの時間や、キャプチャ処理を許容する時間、ライトペンによる手書き画像の入力を許容する時間を管理する。
【００３３】
＜３  アイキャッチボードの構成および作用＞
図３は、図１の遊技用写真作成装置に含まれるアイキャッチボード１００により利用者Ｕの角膜が部分的に明るく照らされる作用を説明するための図である。図中の一点鎖線はフラッシュ１１からの閃光の軌跡を模式的に示している。ここで、カメラ１０下部近傍からアイキャッチボード１００までの本体部４の内部には所定の空間が形成されており、その前面が（利用者Ｕの方向に）開口されている。このため、図３に示すように、フラッシュ１１から発せられた閃光の一部は、当該開口部から上記空間を通ってアイキャッチボード１００へ投射される。アイキャッチボード１００は、白い長方形の平板であり、投射された光の一部を反射する。このアイキャッチボード１００により反射された光の一部は、利用者Ｕの角膜へ投射される。この角膜に投射された光は当該角膜により反射され、当該反射光はカメラ１０により取得される。このとき、カメラ１０には上記角膜の下半部中央近傍にアイキャッチボード１００の像が生じる。
【００３４】
図４は、上記のように取得された反射光による像を含む利用者Ｕの（一方の）目Ｅの画像を拡大して示す模式図である。ここで、目の表面は強膜（白目）と角膜（黒目）からなるが、その内部の虹彩および瞳孔が透明な角膜を通して外側から見えている。図の斜線部は虹彩を示し、中央部の黒く塗りつぶされた円は瞳孔を示している。また、アイキャッチボード１００から利用者Ｕの角膜（および虹彩）へ投射される閃光の当該角膜（および虹彩）からの反射光により、図４に示す虹彩の下半部中央付近の歪んだ略台形状の像が得られる。なお、フラッシュ１１から当該角膜（および虹彩）へ直接投射される閃光の角膜（および虹彩）からの反射光により、図４に示す虹彩の左上の略円形状の像が得られる。このように、アイキャッチボード１００からの反射光が利用者Ｕの角膜（および虹彩）を部分的に明るく照らすことにより、利用者Ｕの目にきれいな輝きが与えられ美しく撮影される。また、当該明るく照らされている部分が台形状であり、その位置が虹彩の下半部中央付近である場合には、当該部分が円形状である場合、またはその位置が虹彩の上半部または左右近傍である場合に比べ、利用者Ｕの目はさらに美しく撮影される。したがって、アイキャッチボード１００は四角形であり、利用者Ｕの目の下方やや前方に配置されることが好適であるが、アイキャッチボード１００が円形や扇形など四角形以外の形状であってもよいし、利用者Ｕの目の位置から斜め前方に配置されてもよい。
【００３５】
以上のように立っている利用者Ｕの目にアイキャッチボード１００からの反射光が投射される関係より、利用者Ｕとアイキャッチボード１００との位置関係は或る程度定まる。例えば、水平に設置されるアイキャッチボード１００の（利用者Ｕ側の）一辺が利用者Ｕの目の位置から垂直方向下方へ３０ｃｍ、利用者Ｕから見て水平方向前方（すなわち利用者Ｕから本体４の方向）へ１０ｃｍ離れた位置にある場合、アイキャッチボード１００の（利用者Ｕから反対側の）他辺の位置は、上記一辺の位置から前方へ少なくとも８０ｃｍ以上離れているのが好適である。また、アイキャッチボード１００の利用者Ｕから見て左右方向の長さ（幅）は１ｍ程度が好適である。なお、ここでの利用者Ｕの目およびカメラ１０の高さは１４５ｃｍであり、利用者Ｕの目の位置からカメラからまでの距離は７５ｃｍであり、視線の方向は水平方向であってカメラ１０を見ているものとする。
【００３６】
また、同様の条件で、アイキャッチボード１００の一辺が利用者Ｕの目の位置から垂直方向下方へ３０ｃｍ、利用者Ｕから見て水平方向前方へ１０ｃｍ離れた上記位置にある場合、アイキャッチボード１００の（利用者Ｕから反対側の）他辺の位置は、上記一辺の位置から約２０度上方の前方へ４５ｃｍ離れているのが好適である。図５は、上記のように利用者Ｕから反対側の他辺が利用者Ｕ側の一辺から約２０度上方に位置するように傾けられて設置されるアイキャッチボード１００を模式的に示す側面図である。
【００３７】
このように、アイキャッチボード１００を利用者Ｕの目に向かって対面するように傾けるほど、またその設置位置が利用者Ｕの目に近づくほどアイキャッチボード１００の大きさ（面積）を小さくすることができる。しかし、アイキャッチボード１００（の他辺）を上方へ傾けすぎると当該他辺近傍がカメラ１０の撮影範囲（画角）内に入ってしまうため不適であり、アイキャッチボード１００を近づけすぎると利用者Ｕに圧迫感を与え、また利用者Ｕの背の高さの違いにより利用者Ｕの目に反射光が投射されにくくなる場合も生じるため好ましくない。また、アイキャッチボード１００の設置位置が利用者Ｕの目から離れるほどアイキャッチボード１００の大きさ（面積）は大きくする必要がある。ただし図１に示す位置にメインディスプレイ装置２２および操作パネル２０が設けられているため、少なくとも撮影時にアイキャッチボード１００はこれらより高い位置であって利用者Ｕの目の位置より下に設置される必要がある。
【００３８】
このようにアイキャッチボード１００は、利用者Ｕの目とメインディスプレイ装置２２または操作パネル２０との間に設置される必要があるため、撮影時以外の時点、例えば利用者Ｕがメインディスプレイ装置２２に表示される合成画像や案内画面を見る際、または操作パネル２０で操作を行う際には、アイキャッチボード１００がその動作の障害となる。よって、撮影時以外の時点では、アイキャッチボード１００は利用者Ｕの障害とならない状態（位置や形状など）へ変化する構成が好ましい。
【００３９】
図６は、図１に示されるアイキャッチボード１００の収納のための位置変化の一例を示す側面図である。より詳細には、図６（ａ）に撮影時点でのアイキャッチボード１００の位置が示され、図６（ｂ）に撮影時点以外でのアイキャッチボード１００の収納位置が示されている。すなわち、図６（ａ）に示すアイキャッチボード１００は、図中の矢印方向へ利用者Ｕに押されることにより本体部４内に設けられる収納空間１１０へ収納され、図６（ｂ）に示す状態となる。なお、アイキャッチボード１００を駆動するための電動モータによる駆動機構が設けられ、撮影時にこの駆動機構に対して制御装置（のメイン制御部８０）から駆動信号が与えられることにより、アイキャッチボード１００が撮影時に自動的に収納位置から所定の位置（すなわち図６（ａ）に示す位置）に配置される構成であってもよい。
【００４０】
また、図７は、図１に示されるアイキャッチボード１００の収納のための位置変化の別例を示す側面図である。より詳細には、図７（ａ）に撮影時点でのアイキャッチボード１００の位置が示され、図７（ｂ）に撮影時点以外でのアイキャッチボード１００の収納位置が示されている。すなわち、図７（ａ）に示すアイキャッチボード１００は、図中の矢印方向へ利用者Ｕに押し上げられることにより所定のヒンジ部分で折れ曲がり、本体部４の前面に接するように折り畳まれることにより図７（ｂ）に示す状態となる。ここで、折り畳まれた際にカメラ１０の撮影方向（具体的にはレンズ前面）を塞ぐことがないように、このアイキャッチボード１００の所定の位置には上記レンズ前面周縁よりやや大きい周縁となるように開口されたカメラ用開口部１０１が設けられている。この構成により、撮影時点以外でもカメラ１０により撮影画像を取得することができるため、カメラ１０によって得られる撮影画像を利用者Ｕはいつでも確認することができる。なお、上記ＬＣＤが本体部４に設けられており撮影時点以外の時点で当該アイキャッチボード１００により塞がれる場合には、対応する位置にさらに開口部が設けられてもよい。また、これらの開口部は透明板などの透明部であってもよい。さらにこれらの開口部または透明部は、図７（ａ）に示す撮影時点では機械的または電気的なシャッタ機構により塞がれまたは非透明化される構成であってもよい。さらにまた、前述のような駆動機構によりアイキャッチボード１００が撮影時に自動的に折り畳まれてもよい。
【００４１】
さらに、図６および図７に示す図１のアイキャッチボード１００の収納方法は、図５に示されるアイキャッチボード１００にも容易に適用できる。すなわち、図５に示されるアイキャッチボード１００は、図６に示すアイキャッチボード１００と同様に、利用者前方の上方へ約２０度傾けられて本体部４内に設けられる収納空間に収納され、または図７に示すアイキャッチボード１００と同様に、本体部４の前面に接するように折り畳まれる構成であってもよい。また、図５に示されるアイキャッチボード１００は、傘の骨部材と同様の構成部材により支持されてもよい。すなわち当該アイキャッチボード１００の下部には支持用の骨部材の一端が回動自在に取り付けられており、その他端は本体部４を上下方向へ摺動可能なように設置された摺動部材に対して取り付けられる構成であってもよい。この構成では、撮影時にはアイキャッチボード１００は、傘を半開きにするような状態で展開され、撮影時以外ではアイキャッチボード１００は傘を閉じるような状態で本体部４の前面に接するように格納される。
【００４２】
さらにまた、図５に示されるアイキャッチボード１００は、可撓性を有する薄いシート、例えばロールスクリーンであってもよい。図８は、ロールスクリーンのアイキャッチボード１００の構成を示す側面図である。このアイキャッチボード１００は、撮影時以外の時点では本体部４の前面に設けられるロール１０１に巻き取られており、撮影時には利用者Ｕにより当該ロール１０１から引き出され、引き出されたアイキャッチボード１００の利用者Ｕ側の辺近傍が本体部４から利用者Ｕ近傍に延設される支持部材の端部に取り付けられたフック１０２に掛止される。この支持部材は、アイキャッチボード１００の幅に合わせて左右に２本が延設されており、この延設方向に沿ってアイキャッチボード１００が引き出される。また、この支持部材が省略され、上記フック１０２が撮影室２の左右側壁の所定位置に設けられていてもよい。なお、このようなアイキャッチボード１００の収納方法は、図１に示されるアイキャッチボード１００に対しても容易に適用できる。
【００４３】
以上の構成以外にも、アイキャッチボード１００の形状および収納位置には様々な態様が考えられる。例えばアイキャッチボード１００は傘を広げるように展開される構成であってもよい。この構成は図９に示される。より詳細には、図９（ａ）に撮影時点以外でのアイキャッチボード１００の格納状態が示され、図９（ｂ）に撮影時点でのアイキャッチボード１００の展開状態が示されている。この構成では、アイキャッチボード１００からの反射光により虹彩の下半部中央付近に像が生じるように明るく照らされる部分の形状は、略台形状のような略四角形状にはならないが、アイキャッチボード１００が撮影時には傘のように広げられるため遊技性または娯楽性が高められる。
【００４４】
また、図１や図５に示されるアイキャッチボード１００は、撮影時以外では本体部４側面の左右いずれか、または双方に接するように格納されており、撮影時には本体部４の前面の所定位置で水平面または所定の傾きを有する面と平行な面を形成するように、本体部４の前面へ引き出される構成であってもよい。
【００４５】
また、アイキャッチボード１００は蛇腹構造であり、撮影時以外では蛇腹が収縮されて本体部４の前面に収納されており、撮影時には蛇腹が伸ばされて本体部４の前面へ引き出される構成であってもよい。
【００４６】
また、アイキャッチボード１００は薄い複数の扇状または三角形状の板材がその所定の一点を中心として回転自在に留められる構成であってもよい。このアイキャッチボード１００は、撮影時以外では複数の板材が互いに重なり合わさるように収納されており、撮影時にはそれぞれの板材が摺動されつつ回転され本体部４の前面に展開される。さらに、アイキャッチボード１００は、扇形のボードが回転されて引き出される構成であってもよい。さらにまた、撮影時以外では扇子のように畳まれており、撮影時には扇子が広げられるように展開される構成であってもよい。
【００４７】
また、アイキャッチボード１００は可撓性を有する一枚のシートが山折りおよび谷折りされることにより撮影時以外では折り畳まれて収納されており、撮影時には本体部４の前面に展開されるように折り目が伸ばされる構成であってもよい。なお、この構成は、薄い複数の板材が上記折り目で折り畳み可能に接合される構成によっても実現可能である。さらに、上記折り目は必ずしも規則正しく付けられる必要はない。
【００４８】
また、アイキャッチボード１００は、撮影時以外では撮影室２の天井近傍に配置されており、撮影時には本体部４前面の所定位置に下ろされる構成であってもよい。
【００４９】
また、アイキャッチボード１００は、メインディスプレイ装置２２の画面周縁および操作パネル２０の操作部周縁よりやや大きい周縁の開口部を有し、撮影時以外ではメインディスプレイ装置２２の画面部分および操作パネル２０の操作部分が上記開口部分から露出するようにこれらの周辺部と接する位置に設けられており、撮影時には本体部４前面の所定位置にもちあげられるとともに、上記開口部分が機械的または電気的なシャッタ機構により塞がれる構成であってもよい。
【００５０】
また、アイキャッチボード１００は自在に折り曲げ可能な針金などの枠材と当該枠材の内部に張られることにより所定の平面を形成する布材からなり、撮影時以外では枠材がねじられまたは不規則に折り曲げられて収納されており、撮影時には枠材が所定の形状に伸ばされることにより本体部４の前面に展開される構成であってもよい。なお、上記枠材は形状記憶合金であり、撮影時には予め記憶された所定の形状に復元されることにより布材が所定の平面を形成するものであってもよい。
【００５１】
また、アイキャッチボード１００は内部に気体や液体（典型的には空気）を入れてふくらませることができる風船のような伸縮性の素材からなり、撮影時以外では空気が抜かれて収納されており、撮影時には空気が入れられることによりふくらまされて所定の形状で本体部４の前面に展開される構成であってもよい。
【００５２】
また、アイキャッチボード１００はすだれからなり、撮影時以外では巻かれて収納されており、撮影時にはすだれが直線方向に伸ばされることにより本体部４の前面に展開される構成であってもよい。
【００５３】
なお、上記のアイキャッチボード１００の一部は利用者Ｕの手動動作によりその位置が動かされるように説明したが、電動モータなどによる駆動機構が設けられ、この駆動機構に対して制御装置（のメイン制御部８０）から駆動信号が与えられることにより自動的に動かされる構成であってもよい。
【００５４】
また、上記構成とは異なり、アイキャッチボード１００は格納されることなく所定の位置に固定される場合であっても、撮影時以外では利用者Ｕからメインディスプレイ装置２２の画面部分および操作パネル２０の操作部分が見える状態、すなわち光を透過させる状態となり、撮影時にはこれらが見えることなく光を（透過させずに）反射する状態であれば、アイキャッチボード１００からの反射光が利用者Ｕの角膜を明るく照らすことにより、利用者Ｕの目にきれいな輝きが与えられ美しく撮影される。上記状態を実現するために、例えば、アイキャッチボード１００は透明で中空の容器であり、撮影時には容器内に白い（または光を反射しうる色の）粉末または液体が注入される構成であってもよい。この構成では、撮影終了後にアイキャッチボード１００を透明な状態に戻すため上記粉末または液体を回収する装置が設けられる。さらに、アイキャッチボード１００は内装用のブラインドカーテンのように開閉可能なものであってもよいし、液晶シャッタやその他の電気的または機械的なシャッタであってもよい。このようなアイキャッチボード１００は、撮影時以外では光を透過させる状態になるため利用者Ｕの操作等の障害にならず、撮影時には光を反射する状態になるため当該反射光により利用者Ｕの角膜を明るく照らすことができる。
【００５５】
また、上記構成とは異なり、アイキャッチボード１００は、フラッシュ１１からの閃光を反射する反射手段ではなく発光手段であってもよい。このように、アイキャッチボード１００からの光が反射光でなくとも、アイキャッチボード１００から発せられる光が利用者Ｕの角膜を部分的に明るく照らすことにより、利用者Ｕの目にきれいな輝きが与えられ美しく撮影される。さらに、当該発光手段は、ＬＥＤ（ｌｉｇｈｔ  ｅｍｉｔｔｉｎｇ  ｄｉｏｄｅ）、ＥＬ（ｅｌｅｃｔｒｏｌｕｍｉｎｅｓｃｅｎｃｅ）、または拡散板を有する光源などの面光源であることが好ましい。面光源であれば、当該明るく照らされている部分が四角形状などの所定の形状となるため、利用者Ｕの目はさらに美しく撮影される。
【００５６】
＜４  効果＞
本発明の一実施形態では、フラッシュ１１からの閃光の反射手段または発光手段であるアイキャッチボード１００からの光が利用者Ｕの角膜を部分的に明るく照らすことにより、利用者Ｕの目にきれいな輝きが与えられ美しく撮影する自動写真作成装置を提供することができる。また、このアイキャッチボード１００からの光により利用者Ｕの顔も明るく照らされるため、利用者Ｕの顔を良好な撮影状態で撮影する自動写真作成装置を提供することができる。
【００５７】
本発明の一実施形態では、撮影時に利用者Ｕの目の下方にアイキャッチボード１００が配置されるため、アイキャッチボード１００からの反射光により利用者Ｕの角膜（および虹彩）の下半部中央付近に像を生じるように明るく照らす構成である。この構成により、明るく照らされる位置が角膜（および虹彩）の上半部または左右近傍である場合に比べ、利用者Ｕの目がさらに美しく撮影される自動写真作成装置を提供することができる。
【００５８】
本発明の一実施形態では、アイキャッチボード１００が四角形の形状であるため、アイキャッチボード１００からの反射光により利用者Ｕの角膜（および虹彩）に略台形形状の像を生じるように明るく照らす構成である。この構成により、明るく照らされる部分が円形形状である場合に比べ、利用者Ｕの目はさらに美しく撮影される自動写真作成装置を提供することができる。
【００５９】
本発明の一実施形態では、撮影時にはアイキャッチボード１００は利用者Ｕの目の下方の所定の位置（例えば、図１や図５に示す位置）に配置され、撮影時以外では収納のための収納位置（例えば、図６（ｂ）や図７（ｂ）に示す位置）に配置される。そのため、撮影時以外の時点、例えばメインディスプレイ装置２２で利用者Ｕが合成画像や案内表示を見たり、操作パネル２０で操作を行う際にも障害となることがないアイキャッチボード１００を備える自動写真作成装置を提供することができる。
【図面の簡単な説明】
【図１】本発明の一実施形態に係る遊技用写真作成装置を側面から見た概略図である。
【図２】上記一実施形態に係る遊技用写真作成装置の機能ブロック図である。
【図３】上記一実施形態における図１のアイキャッチボードにより利用者の角膜が部分的に明るく照らされる作用を説明するための図である。
【図４】上記一実施形態におけるカメラにより取得された反射光による像を含む利用者の（一方の）目の画像を拡大して示す模式図である。
【図５】上記一実施形態において傾けられて設置されるアイキャッチボードを模式的に示す側面図である。
【図６】上記一実施形態における図１のアイキャッチボードの収納のための位置変化の一例を示す側面図である。
【図７】上記一実施形態における図１のアイキャッチボードの収納のための位置変化の別例を示す側面図である。
【図８】上記一実施形態におけるロールスクリーンのアイキャッチボードの構成を示す側面図である。
【図９】上記一実施形態において傘を広げるように展開されるアイキャッチボードの構成を示す側面図である。
【符号の説明】
２    …撮影室
４    …本体部
１０  …カメラ
１１  …フラッシュ
２０  …操作パネル
２２  …メインディスプレイ装置
１００…アイキャッチボード
１０１…カメラ用開口部
１１０…収納空間
Ｕ    …利用者
Ｅ    …目
【図１】
2004219808.tif 000003
【図２】
2004219808.tif 000004
【図３】
2004219808.tif 000005
【図４】
2004219808.tif 000006
【図５】
2004219808.tif 000007
【図６】
2004219808.tif 000008
【図７】
2004219808.tif 000009
【図８】
2004219808.tif 000010
【図９】
2004219808.tif 000011